(57)【要約】【課題】アコースティックの打楽器の奏法を模擬できる電子打楽器を提供すること。【解決手段】軸方向端面が開口する筒状の胴部の軸方向端面に、表面が打撃されるヘッドが取り付けられる。静電容量センサは、ヘッドの表面側に位置する人体等の被検出導体に対して静電容量を生じる電極を有する。電極と被検出導体との距離に応じた静電容量の変化を静電容量センサが検出するので、ヘッドへの被検出導体の接近（接触）や、被検出導体によるヘッドへの押圧を判断できる。その結果、アコースティックの打楽器の奏法を模擬できる。【選択図】図２
2017146461.tif 000002
【特許請求の範囲】
【請求項１】
軸方向端面が開口する筒状の胴部と、
前記胴部の軸方向端面に取り付けられて表面が打撃されるヘッドと、
前記ヘッドの表面側に位置する被検出導体に対して静電容量を生じる電極を有し、前記電極と前記被検出導体との距離に応じた静電容量の変化を検出する静電容量センサとを備える電子打楽器。
【請求項２】
前記電極は、前記ヘッドの裏面側に配置され、
前記ヘッドの表面と前記電極との間は、基準電位点に非接続の導体、及び、絶縁体の１種以上からなる請求項１記載の電子打楽器。
【請求項３】
前記電極よりも前記胴部の軸直角方向外側に配置される、基準電位点に接続される導体部を備える請求項１又は２に記載の電子打楽器。
【請求項４】
前記ヘッドの裏面から所定距離を隔てて配置されて前記胴部に固定される底部と、
前記底部から前記ヘッドへ向かって延びる複数の突起部とを備え、
前記電極は、前記ヘッドと所定距離を隔てて前記複数の突起部の先端に取り付けられる請求項１から３のいずれかに記載の電子打楽器。
【請求項５】
前記ヘッドの裏面から所定距離を隔てて配置されて前記胴部に固定される底部と、
前記底部は、前記電極が設けられる電極面を備えている請求項１から３のいずれかに記載の電子打楽器。
【請求項６】
前記電極は、前記ヘッドの裏面から所定距離を隔てて配置され、前記ヘッドに対向する一面が前記胴部の軸直角方向内側へ向かうにつれて前記ヘッドから離れるように傾斜する請求項１から５のいずれかに記載の電子打楽器。
【請求項７】
前記電極は、複数に分割される各々が前記ヘッドに対向または接触する請求項１から６のいずれかに記載の電子打楽器。
【請求項８】
前記電極は、複数に分割される各々が略同一形状に形成される請求項７記載の電子打楽器。
【請求項９】
前記静電容量センサは、前記電極と基準電位点との間の寄生容量の変化を検出する請求項１から８のいずれかに記載の電子打楽器。
【発明の詳細な説明】
【技術分野】
【０００１】
本発明は電子打楽器に関し、アコースティックの打楽器の奏法を模擬できる電子打楽器に関するものである。
【背景技術】
【０００２】
従来より、シェルの開口端にヘッドを被せ、ヘッドの外縁リングを環状のリムにより押さえつけて固定するアコースティックのドラム等の打楽器を模した電子打楽器が知られている。アコースティックの打楽器の奏法には、リムとヘッドとをスティックにより同時に打撃するオープンリムショットや、スティックを把持した手でヘッドの表面を押さえながらスティックによりリムを打撃するクローズドリムショットがある。
【０００３】
これらの奏法の違いを電子打楽器で表現するために、リムの半周にそれぞれ第１のリムショットスイッチ及び第２のリムショットスイッチを設け、リムへの打撃により第１のリムショットスイッチがＯＮになったときにクローズドリムショットであると判断し、第１のリムショットスイッチがＯＦＦ且つ第２のリムショットスイッチがＯＮになったときにオープンリムショットであると判断する電子打楽器がある（特許文献１）。
【先行技術文献】
【特許文献】
【０００４】
【特許文献１】特許第３６１４１２４号公報
【発明の概要】
【発明が解決しようとする課題】
【０００５】
しかし、上記従来の技術では、実際のアコースティックの打楽器の奏法とは異なることがある。
【０００６】
本発明は上述した問題点を解決するためになされたものであり、アコースティックの打楽器の奏法を模擬できる電子打楽器を提供することを目的とする。
【課題を解決するための手段および発明の効果】
【０００７】
この目的を達成するために、請求項１記載の電子打楽器によれば、軸方向端面が開口する筒状の胴部の軸方向端面に、表面が打撃されるヘッドが取り付けられる。静電容量センサは、ヘッドの表面側に位置する人体等の被検出導体に対して静電容量を生じる電極を有する。電極と被検出導体との距離に応じた静電容量の変化を静電容量センサが検出するので、ヘッドへの被検出導体の接近（接触）や、被検出導体によるヘッドへの押圧を判断できる。その結果、アコースティックの打楽器の奏法を模擬できる効果がある。
【０００８】
請求項２記載の電子打楽器によれば、ヘッドの裏面側に電極が配置され、ヘッドの表面と電極との間が、基準電位点に非接続の導体、及び、絶縁体の１種以上からなる、即ち、ヘッドの表面と電極との間に基準電位点に接続された導体がない。これにより、電極への被検出導体の接近による静電容量の変化を静電容量センサが検出できる。その結果、請求項１記載の効果と同様に、アコースティックの打楽器の奏法を模擬できる効果がある。
【０００９】
請求項３記載の電子打楽器によれば、基準電位点に接続される導体部が電極よりも胴部の軸直角方向外側に配置される。導体部が静電シールドとして機能するので、導体部よりも胴部の軸直角方向外側では、人体等の導体が電極に接近することによって静電容量センサが検出する静電容量が変化することを抑制できる。これにより、請求項１又は２の効果に加え、導体部よりも胴部の軸直角方向外側では、電極への導体の接近による静電容量センサの誤検出を抑制できる効果がある。
【００１０】
請求項４記載の電子打楽器によれば、ヘッドの裏面から所定距離を隔てて配置される底部が胴部に固定され、底部からヘッドへ向かって複数の突起部が延びる。電極とヘッドとが所定距離を隔てて、複数の突起部の先端に電極が取り付けられる。その結果、請求項１から３のいずれかの効果に加え、複数の突起部の高さをそれぞれ設定することにより、底部に対する電極の傾斜を容易に設定できる効果がある。
【００１１】
請求項５記載の電子打楽器によれば、ヘッドの裏面から所定距離を隔てて配置される底部が胴部に固定される。底部は電極が設けられる電極面を備えている。電極面の形状に沿わせて電極を容易に取り付けたり、形成したりできる。従って、請求項１から３のいずれかの効果に加え、電極の取付作業性や形成作業性を容易にできる効果がある。
【００１２】
請求項６記載の電子打楽器によれば、ヘッドの裏面から所定距離を隔てて電極が配置され、ヘッドに対向する電極の一面が胴部の軸直角方向内側へ向かうにつれてヘッドから離れるように傾斜する。打撃時に変位が小さいヘッドの外周側を電極に近づけることができるので、被検出導体とヘッドとの距離に対して静電容量センサが検出する静電容量の変化を大きくできる。その結果、静電容量センサの検出精度を向上できる。
【００１３】
打撃時に変位が大きいヘッドの中心側を電極から遠ざけることができるので、ヘッドと電極とを接触し難くできる。従って、請求項１から５のいずれかの効果に加え、ヘッドと電極との接触を抑制しつつ、静電容量センサの検出精度を向上できる効果がある。
【００１４】
請求項７記載の電子打楽器によれば、複数に分割される電極の各々がヘッドに対向または接触するので、請求項１から６のいずれかの効果に加え、ヘッドの表面に平行な方向における被検出導体の位置を検出できる効果がある。
【００１５】
請求項８記載の電子打楽器によれば、複数に分割される電極の各々が略同一形状に形成されるので、各電極に対する静電容量センサの検出感度を均一化できる。従って、請求項７の効果に加え、ヘッドの表面に平行な方向における被検出導体の位置の検出精度を向上できると共に、各電極に対する静電容量センサの検出処理を同一にできる効果がある。
【００１６】
請求項９記載の電子打楽器によれば、静電容量センサは、電極と基準電位点との間の寄生容量の変化を検出する。このような自己容量方式の静電容量センサでは、電極を単純化できる。その結果、請求項１から８のいずれかの効果に加え、電極の部品コストを抑制できる効果がある。
【図面の簡単な説明】
【００１７】
【図１】本発明の第１実施の形態における電子打楽器の分解斜視図である。
【図２】電子打楽器の断面図である。
【図３】静電容量センサの電気的構成を示した模式図である。
【図４】第２実施の形態における電子打楽器の模式図である。
【図５】第３実施の形態における電子打楽器の断面図である。
【発明を実施するための形態】
【００１８】
以下、本発明の好ましい実施の形態について、添付図面を参照して説明する。まず、図１及び図２を参照して電子打楽器１０について説明する。図１は本発明の第１実施の形態における電子打楽器１０の分解斜視図であり、図２は電子打楽器１０の断面図である。なお、図１及び図２は図２の一点鎖線で示すケーブル２７を除いてその他の配線が省略して図示される。また、図１紙面上側を電子打楽器１０の上方、図１紙面下側を電子打楽器１０の下方とする。
【００１９】
図１及び図２に示すように、電子打楽器１０は、演奏者が持つスティック等を使用して演奏されるドラムを模擬した電子楽器である。電子打楽器１０は、上端である第１端１１ａ側の軸方向端面が開口するシェル１１（胴部）と、シェル１１の第１端１１ａ側の軸方向端面を覆って表面が打撃されるヘッド１２と、ヘッド１２の外周部分に取り付けられるリム１３と、シェル１１に固定されてリム１３が取り付けられる固定部１４と、ヘッド１２の裏側かつシェル１１の内側に設けられるフレーム２０と、フレーム２０に取り付けられるセンサ部３０と、静電容量の変化を検出する静電容量センサ４０とを備える。
【００２０】
電子打楽器１０は、演奏者がスティック等（図示せず）を用いてヘッド１２やリム１３を打撃し、その打撃に基づくセンサ部３０及び静電容量センサ４０からの検出結果を音源装置（図示せず）へ出力し、センサ部３０及び静電容量センサ４０からの検出結果に基づいた楽音信号を音源装置により生成する。その楽音信号をアンプ（図示せず）を介してスピーカ（図示せず）へ出力し、楽音信号に基づく電子楽音をスピーカから放音する。
【００２１】
シェル１１は、第１端１１ａ側の軸方向端面、及び、下端である第２端１１ｂ側の軸方向端面が開口する円筒状の金属製（導体）の部材であり、第１端１１ａ及び第２端１１ｂの縁が丸めてある。シェル１１は、外径が１４インチに形成される。なお、シェル１１の外径は１４インチに限らず、１４インチ未満または１４インチよりも大きい外径のシェル１１を用いることが可能である。また、シェル１１が金属により構成される場合に限らず、シェル１１を非金属の導体（例えば、導電性ポリマーやグラファイト）により構成することも可能である。
【００２２】
ヘッド１２は、演奏者が持つスティック等によって打撃される打面として構成される部材であり、円板状の膜部材１２ａと、膜部材１２ａの外周縁に設けられる円環状の枠部１２ｂとを備える。膜部材１２ａは、合成繊維（絶縁体）を編み上げたメッシュ状素材や合成樹脂（絶縁体）により形成されたフィルム状素材により形成される。枠部１２ｂは、金属製の部位であり、膜部材１２ａの外周縁が接着される。なお、枠部１２ｂに膜部材１２ａの外周縁を接着する場合に限らない。例えば、膜部材１２ａの外周縁を芯金に巻き付け、その周りを枠部１２ｂで包むようにかしめて枠部１２ｂに膜部材１２ａの外周縁を固定することも可能である。
【００２３】
リム１３は、ヘッド１２に張力を付与する円環状の部材である。リム１３は、下端（第２端１１ｂ側の端部）が枠部１２ｂに接触する円筒状の枠接触部１３ａと、枠接触部１３ａの上端（枠部１２ｂに接触する端部とは反対側の端部）に全周に亘って設けられる円環状の弾性部材１３ｂと、枠接触部１３ａの下端から径方向へ張り出す円環状のフランジ部１３ｃとを備える。
【００２４】
枠接触部１３ａは、枠部１２ｂを押さえるための部位であり、枠接触部１３ａの内径がシェル１１の外径よりも大きく、且つ、枠部１２ｂの外径よりも小さい寸法に設定される。弾性部材１３ｂは、演奏者によって打撃される部位であり、スポンジやゴム、熱可塑性エラストマ等の弾性材料により構成される。これにより、リム１３が打撃されたときの打撃音を小さくできる。フランジ部１３ｃは、ボルト１５をそれぞれ挿入する複数の孔が設けられる。
【００２５】
固定部１４は、リム１３をシェル１１に固定するための部材である。固定部１４は、シェル１１の第２端１１ｂにねじ（図示せず）で固定される環状部１４ａと、環状部１４ａから径方向外側へ張り出して形成される複数の張出部１４ｂと、複数の張出部１４ｂから第１端１１ａ側へそれぞれ延びる複数の被締結部１４ｃとを備える。
【００２６】
環状部１４ａは、合成樹脂製の円環状の部位である。張出部１４ｂは、環状部１４ａの外周側に被締結部１４ｃを設けるための部位であり、環状部１４ａと一体に形成される。被締結部１４ｃは、ボルト１５を締結するためのねじ山を内周面に有する円筒状の金属製の部位であり、張出部１４ｂにねじ（図示せず）で固定される。なお、環状部１４ａ、張出部１４ｂ及び被締結部１４ｃの素材は特に限定されない。例えば、亜鉛ダイキャスト等の金属により環状部１４ａ及び張出部１４ｂを構成し、所定の強度および剛性を有する合成樹脂（例えばポリエーテルエーテルケトン樹脂、ポリフェニレンサルファイド樹脂）により被締結部１４ｃを構成することが可能である。また、被締結部１４ｃの代わりにねじ山がない円筒部材を用いることが可能である。円筒部材にボルト１５を貫通し、張出部１４を貫通したボルト１５の先端にナットを取り付けてボルト１５を固定部１４に締結できる。なお、円筒部材は金属や合成樹脂等により製造できる。
【００２７】
フレーム２０は、センサ部３０や静電容量センサ４０等の各種部材とシェル１１とを連結してシェル１１の内側に各種部材を配置するための黒色の椀状の部材であり、合成樹脂（絶縁体）により構成される。フレーム２０は、ヘッド１２と所定距離を隔てて配置される底部２１と、底部２１の外周縁から立ち上がる側壁部２２と、側壁部２２の外周縁に形成される引掛部２３と、底部２１からヘッド１２へ向かって延びる複数の突起部２４及びリブ２５とを備える。
【００２８】
底部２１は、押圧されていない非振動状態のヘッド１２に対して平行に形成される中央部２１ａと、中央部２１ａの外周縁からシェル１１へ向かうにつれてヘッド１２へ近づくように傾斜する傾斜部２１ｂとを備える。中央部２１ａからヘッド１２までの高さは７５ｍｍであり、傾斜部２１ｂの外周縁からヘッド１２までの高さは４５ｍｍである。
【００２９】
引掛部２３は、シェル１１の第１端１１ａに引っ掛けられる部位であり、第１端１１ａの形状に沿って形成される。突起部２４は、各種部材が取り付けられる軸状の部位であり、基端が底部２１と一体に形成され、先端に固定ねじ１６が締結されるめねじ孔２４ａが形成される。リブ２５は、フレーム２０の強度および剛性を確保するための板状の部位であり、底部２１及び突起部２４と一体に形成される。
【００３０】
センサ部３０は、電子打楽器１０が打撃されたことを検出するセンサであり、フレーム２０の中央に設けられる。センサ部３０は、突起部２４の先端に固定ねじ１６で取り付けられるプレート３１と、プレート３１のヘッド１２側に両面テープ３２を介して接着されるヘッドセンサ３３と、ヘッドセンサ３３のヘッド１２側に接着されるクッション３４と、プレート３１の底部２１側に両面テープ３２を介して接着されるリムセンサ３５とを備える。
【００３１】
プレート３１は、円板状の金属製の部材であり、径方向外側に張り出して形成される３つの被固定部３１ａが、底部２１の中央部２１ａから延びる突起部２４の先端に固定ねじ１６で固定される。中央部２１ａからプレート３１までの高さは３６ｍｍに設定される。両面テープ３２は、クッション性を有する円板状の部材である。
【００３２】
ヘッドセンサ３３は、ヘッド１２が打撃されたことを検出する円板状のセンサであり、圧電素子により構成される。ヘッドセンサ３３の直径よりも両面テープ３２の直径が小さく形成される。ヘッドセンサ３３の外周側を変形し易くできるので、ヘッドセンサ３３の検出感度を確保できる。
【００３３】
なお、ヘッドセンサ３３の直径よりも両面テープ３２の直径が小さく形成される場合に限らず、両面テープ３２をリング状に形成して、ヘッドセンサ３３の直径と両面テープ３２の外径とを略同等にすることも可能である。この場合、ヘッドセンサ３３の中心側を変形し易くできるので、ヘッドセンサ３３の検出感度を確保できる。
【００３４】
クッション３４は、スポンジやゴム、熱可塑性エラストマ等の弾性材料により構成される円錐台形状の緩衝材である。クッション３４は、荷重が加えられていない状態の高さ（シェル１１の軸方向の）寸法が、シェル１１に取り付けられたヘッド１２までのヘッドセンサ３３からの距離よりも少し大きく設定される。これにより、シェル１１に取り付けられたヘッド１２とヘッドセンサ３３との間でクッション３４を弾性変形させることができるので、打撃により振動するヘッド１２とクッション３４との接触状態を維持でき、ヘッド１２の振動をヘッドセンサ３３へ伝達できる。なお、クッション３４の弾性率や、ヘッド１２とヘッドセンサ３３との間で変形するクッション３４の弾性変形量を調整して、クッション３４の弾性力を小さく設定することで、クッション３４の弾性力によりヘッド１２の振動が妨げられることを抑制できる。
【００３５】
リムセンサ３５は、リム１３が打撃されたことを検出する円板状のセンサであり、圧電素子により構成される。リムセンサ３５の直径よりも両面テープ３２の直径が小さく形成される。これにより、リムセンサ３５の変形が両面テープ３２に妨げられることを抑制できるので、リムセンサ３５の検出感度を確保できる。なお、両面テープ３２をリング状に形成して、リムセンサ３５の直径と両面テープ３２の外径とを略同等にして、リムセンサ３５の中心側を変形し易くでき、リムセンサ３５の検出感度を確保することも可能である。
【００３６】
静電容量センサ４０は、ヘッド１２に人体等の被検出導体が近づいたことを検出する自己容量方式のセンサである。静電容量センサ４０は、第１電極４１と、第２電極４２と、第３電極４３と、第１電極４１、第２電極４２及び第３電極４３（以下「各電極４１，４２，４３」と称す）に電気的に接続される制御基板４４とを備える。
【００３７】
各電極４１，４２，４３は、シェル１１の軸心を中心とする扇板状の導体（例えば、金属や導電性ポリマー、グラファイト）であり、各々がヘッド１２に対向する。各電極４１，４２，４３は、ヘッド１２に対向する面の径方向寸法が、センサ部３０及びフレーム２０に干渉しない程度にセンサ部３０及びフレーム２０に近づくように設定される。
【００３８】
各電極４１，４２，４３は、固定ねじ１６で突起部２４の先端に固定されて底部２１及びヘッド１２から所定距離を隔てて配置される。各電極４１，４２，４３は、各々の形状が同一である。これにより、部品の種類を削減して各電極４１，４２，４３の部品コストを抑制できる。
【００３９】
各電極４１，４２，４３は、ヘッド１２に対向する面がシェル１１の軸心（軸直角方向内側）へ向かうにつれてヘッド１２から離れるように傾斜する。シェル１１の周方向に互いに隣り合う各電極４１，４２，４３は、第２端１１ｂ側へすり鉢状に窪んだ上面視円形状の電極をシェル１１の周方向に等間隔に分割したものとみなすことができる。
【００４０】
各電極４１，４２，４３は、ヘッド１２側の面に黒色の合成樹脂（絶縁体）製のフィルム４６が貼り合わせられる。各電極４１，４２，４３が金属箔により構成される場合、強度および剛性のあるフィルム４６を各電極４１，４２，４３に貼り合わせることにより強度および剛性を確保できる。なお、各電極４１，４２，４３は金属箔に限らず、導電性ポリマー製の導体膜である各電極４１，４２，４３をフィルム４６に貼り合わせたり、導電塗料である各電極４１，４２，４３をフィルム４６に塗布したりすることが可能である。また、所定の強度および剛性を有する導電性のある板材により各電極４１，４２，４３を形成することも可能である。この場合、各電極４１，４２，４３にフィルム４６を貼り付ける必要はない。
【００４１】
また、フィルム４６により各電極４１，４２，４３へのほこりの付着を抑制できる。さらにヘッド１２がメッシュ状の場合、ヘッド１２を通して見える黒色のフレーム２０と同色の黒色のフィルム４６によりヘッド１２を通して各電極４１，４２，４３を視認し難くできる。
【００４２】
ここで、電子打楽器１０の組立方法について説明する。まず、シェル１１の第２端１１ｂに固定部１４を取り付け、制御基板４４、センサ部３０、各電極４１，４２，４３をフレーム２０に取り付ける。次いで、シェル１１の内側にフレーム２０を底部２１側から挿入して、第１端１１ａに引掛部２３を引っ掛ける。このとき、制御基板４４の基準電位点４５（グランドパターン）にケーブル２７で接続された導電性シート２６を第１端１１ａと引掛部２３との間に挟む。導電性シート２６は、金属箔と合成樹脂フィルムとを貼り合わせたシートであり、金属箔側をシェル１１に接触させる。
【００４３】
次いで、シェル１１の第１端１１ａ側の面をヘッド１２で覆う。このとき、導電性シート２６とケーブル２７との接続部分がヘッド１２とフレーム２０とで囲まれる空間に位置するように、フレーム２０に沿って導電性シート２６を折り曲げ、ヘッド１２と引掛部２３との間に導電性シート２６を挟む。
【００４４】
最後に、リム１３の枠接触部１３ａをヘッド１２の枠部１２ｂに接触させ、リム１３のフランジ部１３ｃに挿入されるボルト１５を固定部１４の被締結部１４ｃに締結する。このようにして、枠部１２ｂが枠接触部１３ａに押されてヘッド１２（膜部材１２ａ）に張力が付与され、電子打楽器１０が組み立てられる。また、ヘッド１２がシェル１１に押し付けられるので、ヘッド１２とフレーム２０との間、且つ、フレーム２０とシェル１１との間に挟まれる導電性シート２６をフレーム２０に固定できる。
【００４５】
なお、導電性シート２６の代わりに圧着端子を設け、シェル１１に圧着端子をねじ止めしてシェル１１にケーブル２７を固定することが可能である。また、半田付けによりケーブル２７をシェル１１に接続することが可能である。これらの場合、シェル１１からフレーム２０を取り外すには、シェル１１からケーブル２７を取り外すために圧着端子のねじを外したり、半田を溶かしたりする必要がある。ケーブル２７とシェル１１とを再び接続するには圧着端子をねじ止めしたり、再び半田付けしたりする必要がある。一方、本実施の形態では、導電性シート２６によりケーブル２７とシェル１１との着脱を容易にできるので、シェル１１とフレーム２０との着脱を容易にできる。
【００４６】
次に、図３を参照して静電容量センサ４０の検出方法について説明する。図３は静電容量センサ４０の電気的構成を示した模式図である。図３に示すように、静電容量センサ４０は、各電極４１，４２，４３がそれぞれ抵抗４７を介して制御部４８に接続される。各電極４１，４２，４３にそれぞれ対応したサンプリング用コンデンサ５１，５２，５３が制御部４８と基準電位点４５との間に設けられる。
【００４７】
抵抗４７、制御部４８及びサンプリング用コンデンサ５１，５２，５３は、制御基板４４（図２参照）内に設けられる素子である。抵抗４７は、静電気保護のための素子である。制御部４８は、各種スイッチやＣＰＵ等が搭載される制御回路である。抵抗４７の抵抗値やサンプリング用コンデンサ５１，５２，５３の静電容量は、所望する性能に応じて適宜設定される。
【００４８】
第１電極４１の周囲の所定距離内に位置する、制御基板４４内の基準電位点４５に接続された導体（シェル１１（図２参照）や制御基板４４内の配線等）や、床面および壁面等の接地された（大地等の基準電位点４５に接続された）部分と第１電極４１との間に所定の静電容量（寄生容量）が生じる。この寄生容量を有するものを寄生容量コンデンサ５４とする。人体等の被検出導体５５が第１電極４１に近づくと、第１電極４１と被検出導体５５との間に新たな寄生容量コンデンサ５６が形成され、寄生容量コンデンサ５６の静電容量（寄生容量）分だけ第１電極４１周り（寄生容量コンデンサ５４，５６の合計）の寄生容量が増加する。さらに第１電極４１と被検出導体５５との距離が近づく程、寄生容量コンデンサ５６の寄生容量が増加する。
【００４９】
なお、人体５５は寄生容量コンデンサ５６の寄生容量に対して十分に大きい静電容量を有しているので、人体５５を大地等の基準電位点４５に接続されている（接地されている）と見なすことができる。そのため、人体５５と第１電極４１との間に寄生容量コンデンサ５６を形成できる。
【００５０】
静電容量センサ４０は、制御部４８内部のスイッチング動作により第１電極４１へ電荷を送って寄生容量コンデンサ５４，５６を充電し、充電した電荷をサンプリング用コンデンサ５１へ移動させる処理を繰り返す。静電容量センサ４０は、サンプリング用コンデンサ５１の電圧が所定値以上になるまでの繰り返し回数に基づいて、寄生容量コンデンサ５４，５６の合計の寄生容量の変化を検出し、第１電極４１への被検出導体５５の接近を判断する。
【００５１】
なお、寄生容量コンデンサ５４，５６の合計の寄生容量が大きい程（第１電極４１と被検出導体５５との距離が近づく程）、１回のサイクルで寄生容量コンデンサ５４，５６からサンプリング用コンデンサ５１へ移動する電荷量が多くなるので、繰り返し回数が少なくなる。従って、静電容量センサ４０により繰り返し回数に基づいて被検出導体５５（演奏者の手など）がヘッド１２にどれ程近づいたか、被検出導体５５をヘッド１２にどれ程押し付けているかを判断できる。
【００５２】
例えば、静電容量センサ４０は、第１電極４１に対向する位置のヘッド１２に被検出導体５５（演奏者の手の指）が接触したときの繰り返し回数（例えば１００）を第１閾値とし、第１閾値よりもやや多い繰り返し回数（例えば１２０）を第２閾値として設定する。なお、オープンリムショットのときの被検出導体５５（演奏者の手）の位置による繰り返し回数が第２閾値よりも大きくなるように、第２閾値が設定される。
【００５３】
静電容量センサ４０は、繰り返し回数が第１閾値以下である場合、第１電極４１に対向する位置のヘッド１２が被検出導体５５に接触（被検出導体５５がヘッド１２を押圧）していると判断する。この場合、静電容量センサ４０は、繰り返し回数が少ない程、被検出導体５５がヘッド１２を強く押圧していると判断できる。静電容量センサ４０は、繰り返し回数が第１閾値より大きく、且つ、第２閾値以下である場合、第１電極４１に対向する位置のヘッド１２に被検出導体５５が近接している（ヘッド１２と被検出導体５５とが僅かに離れている）と判断する。静電容量センサ４０は、繰り返し回数が第２閾値よりも大きい場合、被検出導体５５とヘッド１２とが大きく離れていると判断する。また、静電容量センサ４０は繰り返し回数が第１閾値より大きい場合、繰り返し回数が多い程、被検出導体５５がヘッド１２から離れていると判断できる。
【００５４】
第１電極４１に被検出導体５５が近づく場合について説明したが、第２電極４２及び第３電極４３に被検出導体５５が近づく場合も同様なので、第２電極４２及び第３電極４３についての説明を省略する。なお、第２電極４２と被検出導体５５との間には寄生容量コンデンサ５７が生じ、第３電極４３と被検出導体５５との間には寄生容量コンデンサ５８が生じる。
【００５５】
各電極４１，４２，４３のヘッド１２に対向する面の径方向寸法が、センサ部３０及びフレーム２０に干渉しない程度にセンサ部３０及びフレーム２０に近づくように設定されるので、静電容量センサ４０は、ヘッド１２の略全面でヘッド１２への被検出導体５５の接近（接触）や押圧を判断できる。また、各電極４１，４２，４３の底部２１側に制御基板４４が配置されるので、制御基板４４に干渉することなく、各電極４１，４２，４３のヘッド１２に対向する面の径方向寸法を確保できる。
【００５６】
静電容量センサ４０は、シェル１１の周方向に互いに隣り合う（１つの電極をシェル１１の周方向に分割した）各電極４１，４２，４３それぞれに被検出導体５５が近づいたか否かを判断することで、シェル１１の周方向における被検出導体５５の位置を検出できる。各電極４１，４２，４３の形状が同一に形成されるので、各電極４１，４２，４３に対する静電容量センサ４０の検出感度を均一化できる。その結果、シェル１１の周方向における被検出導体５５の位置の検出精度を向上できると共に、各電極４１，４２，４３に対する静電容量センサ４０の検出処理を同一にできる。
【００５７】
図３に加えて再び図１及び図２を参照しながら、第１電極４１への被検出導体５５の接近による静電容量の変化を静電容量センサ４０が検出するための条件について説明する。なお、第１電極４１についてのみ説明するが、第２電極４２及び第３電極４３も同様なので、第２電極４２及び第３電極４３についての説明を省略する。
【００５８】
第１電極４１とヘッド１２の表面との間に基準電位点４５に接続された導体がある場合には、基準電位点４５に接続された導体が静電シールドとして機能するため、第１電極４１と被検出導体５５との間に寄生容量コンデンサ５６を形成することができない。これに対し、第１電極４１とヘッド１２の表面との間が、基準電位点４５に非接続の導体、及び、絶縁体の１種以上からなる場合、即ち、第１電極４１とヘッド１２の表面との間に基準電位点４５に接続された導体がない場合には、第１電極４１と被検出導体との間に寄生容量コンデンサ５６を形成することができる。
【００５９】
本実施の形態では、第１電極４１とヘッド１２の表面との間には、絶縁体からなる膜部材１２ａのみが位置するので、第１電極４１と被検出導体５５との間に寄生容量コンデンサ５６を形成できる。その結果、第１電極４１への被検出導体５５の接近による静電容量の変化を静電容量センサ４０が検出できる。
【００６０】
次に、電子打楽器１０の奏法について説明する。ヘッド１２を演奏者が打撃したときには、ヘッド１２の振動がクッション３４を介してヘッドセンサ３３へ伝達される。ヘッド１２への打撃による振動がフレーム２０、プレート３１及び両面テープ３２を介してリムセンサ３５へ伝達される。一方、リム１３を演奏者が打撃したときには、リム１３への打撃による振動がリム１３、フレーム２０、プレート３１及び両面テープ３２を介してヘッドセンサ３３及びリムセンサ３５へ伝達される。なお、ヘッドセンサ３３はクッション３４を介してヘッド１２に接触しているので、リムセンサ３５に比べてヘッドセンサ３３はプレート３１からの振動により揺れ難い。
【００６１】
これらのように、ヘッド１２を打撃した場合とリム１３を打撃した場合とで、ヘッドセンサ３３及びリムセンサ３５への振動の伝達経路や、ヘッドセンサ３３及びリムセンサ３５の揺れ方が異なる。そのため、ヘッドセンサ３３及びリムセンサ３５の検出結果（出力レベル比）に基づいて、ヘッド１２又はリム１３のどちらを演奏者が打撃したかを音源装置（図示せず）により判断でき、打撃された部分に対応する電子楽音をスピーカ（図示せず）から放音できる。なお、音源装置を制御基板４４内に設けることが可能であり、音源装置を外部機器とすることも可能である。
【００６２】
アコースティックのドラムにおいてリム１３を打撃する奏法には、リム１３とヘッド１２とをスティック（図示せず）により同時に打撃するオープンリムショットや、手でヘッド１２の表面を押さえながらスティックによりリム１３を打撃するクローズドリムショットがある。電子打楽器１０は、静電容量センサ４０により手（被検出導体）５５がヘッド１２に近接および接触（押圧）していないと判断されている状態（繰り返し回数が第２閾値より大きい状態）でリム１３が打撃されると、音源装置によりオープンリムショットであると判断でき、オープンリムショットに対応する電子楽音をスピーカから放音できる。
【００６３】
一方、電子打楽器１０は、静電容量センサ４０により手５５がヘッド１２に近接または接触したと判断されている状態（繰り返し回数が第２閾値以下の状態）でリム１３が打撃されると、音源装置によりクローズドリムショットであると判断でき、クローズドリムショットに対応する電子楽音をスピーカから放音できる。それらの結果、電子打楽器１０はアコースティックのドラムの奏法を模擬できる。
【００６４】
また、アコースティックのドラムでは、ヘッド１２への打撃の前後に手５５をヘッド１２に置いてヘッド１２の振動を早期に減衰させて打撃音をミュートさせる奏法がある。この奏法では、ヘッド１２を押圧する強さが大きい程、ヘッド１２の振動をより早期に減衰でき、打撃音をより早期にミュートできる。
【００６５】
電子打楽器１０は、静電容量センサ４０により手５５がヘッド１２に近接または接触したと判断されている状態でヘッド１２が打撃された場合、及び、ヘッド１２への打撃による電子楽音が放音されている状態で静電容量センサ４０により手５５がヘッド１２に接触した（繰り返し回数が第１閾値以下）と判断された場合、スピーカから放音される電子楽音をミュートできる。また、静電容量センサ４０によりヘッド１２を手５５が押圧する強さを検出できるので、ヘッド１２を押圧する強さが大きい程、スピーカから放音される電子楽音をより早期にミュートできる。それらの結果、電子打楽器１０はアコースティックのドラムの奏法を模擬できる。
【００６６】
以上のような電子打楽器１０によれば、導体のシェル１１が導電性シート２６及びケーブル２７を介して基準電位点４５に接続されるので、シェル１１（導体部）が静電シールドとして機能する。これにより、シェル１１に人体等の導体（足など）が接近することによって静電容量センサ４０が検出する静電容量が変化することを抑制できる。なお、シェル１１を径方向に貫通する穴がある場合や、シェル１１の一部が合成樹脂等の絶縁体により構成される場合であっても、穴の形状および寸法や絶縁体部分の形状および寸法にもよるが、シェル１１が静電シールドとして機能する。
【００６７】
各電極４１，４２，４３は、ヘッド１２に対向する面がシェル１１の軸心（軸直角方向内側）へ向かうにつれてヘッド１２から離れるように傾斜する。打撃時に変位が小さいヘッド１２の外周側を各電極４１，４２，４３に近づけることができるので、被検出導体５５とヘッド１２との距離に対して静電容量センサ４０が検出する静電容量の変化を大きくできる。その結果、静電容量センサ４０の検出精度を向上できる。また、打撃時に変位が大きいヘッド１２の中心側を各電極４１，４２，４３から遠ざけることができるので、ヘッド１２と各電極４１，４２，４３とを接触し難くできる。従って、ヘッド１２と各電極４１，４２，４３との接触を抑制しつつ、静電容量センサ４０の検出精度を向上できる。
【００６８】
各電極４１，４２，４３は、複数の突起部２４の先端に取り付けられるので、複数の突起部２４の高さをそれぞれ設定することにより、底部２１に対する各電極４１，４２，４３の傾斜を容易に設定できると共に、各電極４１，４２，４３を曲げて各電極４１，４２，４３の形状を容易に設定できる。本実施の形態では、シェル１１の内周面側の突起部２４よりもシェル１１の軸心側（軸直角方向内側）の突起部２４を低く設定することで、板状の各電極４１，４２，４３を曲げて、各電極４１，４２，４３を全体としてすり鉢状に形成できる。
【００６９】
底部２１の中央部２１ａをヘッド１２に近づけて、プレート３１が取り付けられる突起部２４を低くすると、プレート３１に取り付けられるヘッドセンサ３３がリム１３への打撃による振動を受け易くなる。中央部２１ａからヘッド１２までの高さ（本実施の形態では７５ｍｍ）、及び、中央部２１ａからプレート３１までの高さ（本実施の形態では３６ｍｍ）をそれぞれ比較的高く設定することで、ヘッドセンサ３３がリム１３への打撃による振動を受け難くできる。これにより、ヘッドセンサ３３及びリムセンサ３５の検出結果（出力レベル比）に基づく打撃位置の判断精度を確保できる。なお、中央部２１ａからヘッド１２までの高さが６０ｍｍ以上であり、中央部２１ａからプレート３１までの高さが３０ｍｍ以上であれば、ヘッドセンサ３３及びリムセンサ３５の検出結果（出力レベル比）に基づく打撃位置の判断精度を確保できる。
【００７０】
次に図４を参照して第２実施の形態について説明する。第１実施の形態では、各電極４１，４２，４３がシェル１１の周方向に互いに隣り合う（１つの電極をシェル１１の周方向に分割した）場合について説明した。これに対し第２実施の形態では、第１電極６２、第２電極６３及び第３電極６４（以下「各電極６２，６３，６４」と称す）がリム１３（シェル１１）の径方向に互いに隣り合う（１つの電極をシェル１１の径方向に分割した）場合について説明する。なお、第１実施の形態と同一の部分については、同一の符号を付して以下の説明を省略する。
【００７１】
図４は第２実施の形態における電子打楽器６０の模式図である。図４に示すように、電子打楽器６０は、演奏者が持つスティック等を使用して演奏されるドラムを模擬した電子楽器である。電子打楽器６０は、センサ部３０からリム１３（シェル１１）へ向かって第１電極６２、第２電極６３、第３電極６４の順に設けられる。各電極６２，６３，６４は、自己容量方式の静電容量センサ６１に設けられる電極であり、リム１３の軸心を中心とする円環状の導体からなる。
【００７２】
第１電極６２は、センサ部３０に干渉しないように内径が設定される。第２電極６３は、内径が第１電極６２の外径よりも大きく設定される。第３電極６４は、内径が第２電極６３の外径よりも大きく設定され、外径がリム１３の内径よりも小さく設定される。
【００７３】
リム１３の径方向に互いに隣り合う各電極６２，６３，６４は、上面視円形状の電極を径方向に分割したものとみなすことができる。これにより、静電容量センサ６１は、各電極６２，６３，６４それぞれに被検出導体５５が近づいたか否かを判断することで、リム１３の径方向における被検出導体５５の位置を検出できる。その結果、電子打楽器６０は、ヘッド１２の中央側（リム１３の軸心側）に手５５を置いたときと、ヘッド１２の外周側（リム１３側）に手５５を置いたときとでスピーカから放音される電子楽音を異ならせることができる。
【００７４】
次に図５を参照して第３実施の形態について説明する。第１実施の形態では、底部２１から延びる複数の突起部２４の先端に各電極４１，４２，４３が取り付けられる場合について説明した。これに対し第３実施の形態では、各電極４１，４２，４３が設けられる電極面７３ａが底部７２に形成される場合について説明する。なお、第１実施の形態と同一の部分については、同一の符号を付して以下の説明を省略する。
【００７５】
図５は第３実施の形態における電子打楽器７０の断面図である。図５に示すように、電子打楽器７０は、演奏者が持つスティック等を使用して演奏されるドラムを模擬した電子楽器である。電子打楽器７０のフレーム７１は、シェル１１の内側に各種部材を配置するための椀状の部材であり、合成樹脂（絶縁体）により構成される。フレーム７１は、ヘッド１２と所定距離を隔てて配置される底部７２と、底部７２の外周縁から立ち上がる側壁部２２と、側壁部２２の外周縁に形成される引掛部２３とを備える。
【００７６】
底部７２は、外周縁が側壁部２２に連結される傾斜部７３と、傾斜部７３の中央が第２端１１ｂ側へ窪んだ中央部７４と、傾斜部７３の中央部７４側の縁の一部が第２端１１ｂ側へ僅かに凹んだ凹部７５とを備えている。中央部７４は、制御基板４４が取り付けられる。凹部７５は、プレート３１の被固定部３１ａが固定ねじ１６で固定される。
【００７７】
傾斜部７３は、第２端１１ｂ側へすり鉢状に窪んだ部位であり、ヘッド１２に対向する面である電極面７３ａが、シェル１１の軸心（軸直角方向内側）へ向かうにつれてヘッド１２から離れるように傾斜する。金属や導電性ポリマー製の導体膜である各電極４１，４２，４３を電極面７３ａに貼り付けたり、ねじ止めしたりすることで、電極面７３ａの形状や傾斜に沿わせて各電極４１，４２，４３を容易に取り付けることができる。また、導電塗料を電極面７３ａに塗布することで、電極面７３ａの形状や傾斜に沿わせて各電極４１，４２，４３を容易に形成できる。各電極４１，４２，４３の形状や傾斜を容易に設定できると共に、各電極４１，４２，４３の取付作業性や形成作業性を容易にできる。
【００７８】
電極面７３ａがシェル１１の軸心へ向かうにつれてヘッド１２から離れるように傾斜するので、各電極４１，４２，４３も同様にシェル１１の軸心へ向かうにつれてヘッド１２から離れるように傾斜する。ヘッド１２の外周側を各電極４１，４２，４３に近づけることができると共に、ヘッド１２の中心側を各電極４１，４２，４３から遠ざけることができるので、第１実施の形態と同様に、ヘッド１２と各電極４１，４２，４３との接触を抑制しつつ、静電容量センサ４０の検出精度を向上できる。
【００７９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記各実施の形態では、シェル１１が円筒状である場合について説明したが、必ずしもこれに限られるものではなく、円筒状以外の筒状にシェルを形成することは当然可能である。シェルの形状に合わせてヘッドやリム、各電極等の形状が決定される。
【００８０】
上記各実施の形態では、ドラムを模擬した電子打楽器１０，６０，７０に本発明が適用される場合について説明したが、必ずしもこれに限られるものではなく、少なくとも一方の軸方向端面が開口する筒状の胴部（シェル）の開口した軸方向端面にヘッドが取り付けられるドラム以外の打楽器を模擬した電子打楽器に本発明を適用することは当然可能である。ドラム以外の打楽器としては、例えば、カホンやコンガ、ボンゴ、ティンバレス、ティンパニ等が挙げられる。
【００８１】
カホンやコンガ、ボンゴを模擬した電子打楽器の場合には、手でヘッドを直接打撃するので、手によるヘッドへの打撃を静電容量センサ４０，６１により検出できる。また、静電容量センサ４０，６１によりヘッドへの打撃位置を検出して、打撃位置に対応する電子楽音をスピーカから放音できる。
【００８２】
また、アコースティックのカホンでは、ヘッドに足を接触させた状態で足をスライドさせる（足でヘッドをこする）奏法がある。静電容量センサ４０，６１により足の位置や足の位置の変化を検出できる。また、アコースティックのティンパニでは、ピンの先端に取り付けたスーパーボールでヘッドをこする奏法がある。金属製のスティックを持って、スティックを介した人体と第１電極４１，６２、第２電極４２，６３及び第３電極４３，６４との間に寄生容量が生じるように設定することで、静電容量センサ４０，６１によりスティックの位置を検出できる。これらのように、電子打楽器はヘッドをこするといったアコースティックの打楽器の奏法を模擬できる。
【００８３】
上記第１，３実施の形態では、各電極４１，４２，４３がシェル１１の周方向に互いに隣り合う（１つの電極をシェル１１の周方向に分割した）場合について説明し、上記第２実施の形態では各電極６２，６３，６４がリム１３（シェル１１）の径方向に互いに隣り合う（１つの電極をシェル１１の径方向に分割した）場合について説明したが、必ずしもこれに限られるものではない。静電容量センサの電極を１つにすることは当然可能である。
【００８４】
この場合、ヘッド１２の略全面で静電容量センサが被検出導体５５を検出できるようにするには、電極のヘッド１２に対向する面の面積を大きくする必要がある。電極の面積が大きいと、電極と基準電位点４５との間の寄生容量が大きくなるので、電極への被検出導体の接近による寄生容量の変化が相対的に小さくなり、静電容量センサのＳ／Ｎ比（被検出導体５５の接近による寄生容量の変化／電極と基準電位点４５との間の寄生容量）が低下する。なお、サンプリング用コンデンサ５１，５２，５３の静電容量を大きく設定することで、静電容量センサの検出精度を向上できるが、検出時間が増加し、奏法を変えたときの追従性が悪化する。例えば、ヘッド１２に近接させた状態の被検出導体５５をヘッド１２から離した直後にリム１３を打撃した場合、検出時間の増加（判断の遅れ）により静電容量センサがヘッド１２に近接している状態でリム１３が打撃されたと判断するおそれがある。
【００８５】
そのため、電極を複数に分割して、各電極の寸法を小さくすることで、検出時間の増加を抑制して、奏法を変えたときの追従性を確保できると共に、静電容量センサのＳ／Ｎ比を確保できる。なお、シェル１１の外径が１０インチ以下であれば、１つの電極の寸法が小さいので、１つの電極を分割せずに静電容量センサのＳ／Ｎ比を確保できる。
【００８６】
また、１つの電極を３つに分割する場合に限らず、１つの電極を２つや４つ以上に分割することも可能である。さらに、１つの電極を分割する方向は、シェル１１の周方向または径方向に限らず、分割される電極の各々がヘッド１２に対向するように、１つの電極を分割することが可能である。この場合、ヘッド１２の表面に平行な方向における被検出導体５５の位置を検出できる。
【００８７】
分割される電極の各々を略同一形状に形成することで、各電極に被検出導体５５が接近した場合の静電容量センサの検出感度を均一化できる。これにより、ヘッド１２の表面に平行な方向における被検出導体５５の位置の検出精度を向上できると共に、各電極に対する静電容量センサ４０の検出処理を同一にできる。
【００８８】
上記各実施の形態では、静電容量センサ４０，６１が自己容量方式である場合について説明したが、必ずしもこれに限られるものではなく、相互容量方式の静電容量センサを用いることは当然可能である。相互容量方式の静電容量センサは、一対の電極の一方に電荷を供給し、一対の電極間に電界を形成し（静電容量が生じ）、被検出導体５５の接近によって電界の一部が被検出導体５５へ移ることによる一対の電極間の静電容量の減少を検出する。相互容量方式の静電容量センサでは、電界を形成する一対の電極が必要になるので、電極のパターンや制御回路が複雑になる。これに対し、自己容量方式の静電容量センサ４０，６１では、電極および制御回路を単純化できるので、電極の部品コストを抑制できる。
【００８９】
上記第１，３実施の形態では、各電極４１，４２，４３のヘッド１２に対向する面がシェル１１の軸心（軸直角方向内側）へ向かうにつれてヘッド１２から離れるように傾斜する場合について説明したが、必ずしもこれに限られるものではなく、各電極４１，４２，４３をヘッド１２の裏面と平行に設けることは当然可能である。特に、シェル１１の外径が１０インチ以下であれば、打撃時のヘッド１２の中心側の変位が比較的小さくなるので、ヘッド１２の裏面と平行な各電極４１，４２，４３をヘッド１２に近づけることができ、静電容量センサ４０の検出精度を向上できる。
【００９０】
上記第１実施の形態では、シェル１１が導体である場合について説明したが、必ずしもこれに限られるものではなく、木材や合成樹脂等の絶縁体によりシェル１１を構成することは当然可能である。シェル１１を構成する絶縁体の誘電率が小さい程、シェル１１に人体等の導体が接近することによって静電容量センサ４０が検出する静電容量の変化を小さくできる。
【００９１】
なお、絶縁体によりシェル１１が構成される場合でも、シェル１１の内周面および外周面の少なくとも一方に導体膜を貼り付けたり、シェル１１の内周面および外周面の少なくとも一方を導電塗料でコーティングしたり、各電極４１，４２，４３とシェル１１との間に導体板を配置したりして、さらにシェル１１に設けた導体膜や導電塗料、導体板を基準電位点４５に接続することで、導体膜や導電塗料、導体板（導体部）が静電シールドとして機能する。その結果、シェル１１へ人体等の導体が接近することによって静電容量センサ４０が検出する静電容量の変化を小さくできる。また、絶縁体によりシェル１１を構成する場合でも、枠部１２ｂや枠接触部１３ａ、フランジ部１３ｃ、被締結部１４ｃ、ボルト１５、側壁部２２の少なくとも一部を導体により構成して基準電位点４５に接続することで、枠部１２ｂや枠接触部１３ａ、フランジ部１３ｃ、被締結部１４ｃ、ボルト１５、側壁部２２（導体部）が静電シールドとして機能する。その結果、導体部よりもシェル１１の軸直角方向外側では、各電極４１，４２，４３へ人体等の導体が接近することによって静電容量センサ４０が検出する静電容量の変化を小さくできる。
【００９２】
上記第１実施の形態では、シェル１１の第２端１１ｂ側の軸方向端面が開口する場合について説明したが、必ずしもこれに限られるものではなく、シェル１１の第２端１１ｂ側の軸方向端面を塞ぐ（開口しない）ことは当然可能である。この場合、シェル１１の第２端１１ｂ側の軸方向端面がシェル１１同様に金属からなり、基準電位点４５に接続（接地）されるので、シェル１１の第２端１１ｂ側の軸方向端面に人体等の導体が接近することによって、静電容量センサ４０が検出する静電容量が変化することを抑制できる。その結果、シェル１１の第２端１１ｂ側の軸方向端面への導体の接近による静電容量センサ４０の誤検出を抑制できる。
【００９３】
上記第１実施の形態では、各電極４１，４２，４３は、ヘッド１２側の面に黒色の合成樹脂製のフィルム４６が貼り合わせられる場合について説明したが、必ずしもこれに限られるものではなく、フィルム４６を省略することは当然可能である。また、各電極４１，４２，４３の底部２１側の面にフィルム４６を貼り合わせることも可能である。この場合、突起部２４とフィルム４６とを一体成形し、フィルム４６に各電極４１，４２，４３を貼り合わせることも可能である。
【００９４】
上記第１実施の形態では、ヘッドセンサ３３及びリムセンサ３５が圧電素子により構成されるセンサである場合について説明したが、必ずしもこれに限られるものではなく、圧電素子以外の素子により構成される振動センサを用いることは当然可能である。また、クッション３４からの押圧力を検出するヘッドセンサをメンブレンスイッチ等の感圧センサにより構成することも可能である。また、リム１３の弾性部材１３ｂの弾性変形により押圧されるように構成されたメンブレンスイッチ等の感圧センサによりリムセンサを構成することも可能である。
【００９５】
上記第１実施の形態では、ヘッド１２と所定距離を隔てて第１電極４１、第２電極４２、第３電極４３が配置される場合について説明したが必ずしもこれに限られるものではない。例えば、ヘッド１２の裏面や表面に金属箔（導体膜）状の電極を貼り合わせることが可能である。この場合、導体膜の損傷を防ぐために、導体膜をヘッド１２の裏面に貼り合わせることが好ましい。複数に分割した電極をヘッド１２に貼り合わせる場合、分割された各電極がヘッド１２に接触することで、ヘッド１２の表面に平行な方向における被検出導体５５の位置を検出できる。また、メッシュ状のヘッド１２に導電性を有する繊維や針金（電極）を編み込むことが可能である。電極を編み込む位置を区分け（分割された各電極がヘッド１２に接触）することで、ヘッド１２の表面に平行な方向における被検出導体５５の位置を検出できる。また、ヘッド１２を金属板や導体膜で構成してヘッド１２自体を電極とすることが可能である。
【符号の説明】
【００９６】
１０，６０，７０  電子打楽器
１１        シェル（胴部）
１２        ヘッド
２１，７２  底部
２４        突起部
４０，６１  静電容量センサ
４１，６２  第１電極（電極の一部）
４２，６３  第２電極（電極の一部）
４３，６４  第３電極（電極の一部）
４５        基準電位点
５５        被検出導体
７３ａ      電極面
【図１】
2017146461.tif 000003
【図２】
2017146461.tif 000004
【図３】
2017146461.tif 000005
【図４】
2017146461.tif 000006
【図５】
2017146461.tif 000007